(57)【特許請求の範囲】
【請求項１】
足踏みペダルと、足踏みペダルに連結されて足踏みペダルの動作に伴って上下方向に可動である牽引ロッドと、牽引ロッドを支持する支柱と、足踏みペダルが踏まれて牽引ロッドが下方に動いたときに洗浄液容器の頭部を押して洗浄液を噴射させるプッシャーと、プッシャーと牽引ロッドとを連結する可動アームと、可動アームの下方側において牽引ロッドに取り付けられた圧縮バネと、圧縮バネの下端の位置において牽引ロッドと交差するように設けられたガイドホルダーと、牽引ロッドが下降の許容限界値まで下方に動いたときにガイドホルダーに上方から接触して牽引ロッドの下方への動きを停止させるガイドピンと、洗浄液容器を搭載する搭載台とを備え、足踏みペダルが踏まれると洗浄液が噴射される足踏み式洗浄機であって、
ガイドホルダーは、その外周側から中心部に向かって溝が設けられたスリットを備え、ガイドホルダーにガイドピンが接触したときに、ガイドピンの下部がスリットに挿入されて、プッシャーと洗浄液容器との位置ずれを防止する位置ずれ防止手段を備えていることを特徴とする足踏み式洗浄機。
【請求項２】
前記ガイドピンが取り付けられたガイドピン支持部の下端に設けられた伸びあがり防止ストッパーを備え、足踏みペダルから足が外れて牽引ロッドが上昇の許容限界値まで上昇したときに、伸びあがり防止ストッパーの上面が前記ガイドホルダーの下面に接触して、牽引ロッドの上方への動きを停止させる伸びあがり防止手段を備えていることを特徴とする請求項１記載の足踏み式洗浄機。
【請求項３】
前記搭載台を前記支柱に取り付けるための第一のクランプボルトを備えるとともに、予備的な締め付けを行うための第二のクランプボルトを備え、第一のクランプボルトのネジ先端部に樹脂が取り付けられるとともに、第二のクランプボルトのネジ先端部に樹脂が取り付けられていることを特徴とする請求項１または２記載の足踏み式洗浄機。
【請求項４】
前記搭載台上に前記洗浄液容器を搭載する際に、前記洗浄液容器をクランプして、前記洗浄液容器を前記搭載台に固定するマグネット付きクランパーを備えていることを特徴とする請求項１から３のいずれかに記載の足踏み式洗浄機。
【請求項５】
傾斜面を有する前記足踏みペダルに近接して設けられた、水平面を有する足載せ台を備え、前記足踏みペダルの表面と前記足載せ台の表面には、滑り止め手段が設けられていることを特徴とする請求項１から４のいずれかに記載の足踏み式洗浄機。
【請求項６】
前記足踏みペダルと前記支柱とを支える基台が水平に設置されるためのレベリングボルトを備えていることを特徴とする請求項１から５のいずれかに記載の足踏み式洗浄機。
【発明の詳細な説明】
【技術分野】
【０００１】
本発明は、手を使わずに足踏み操作により、手指の洗浄を行うことが可能な足踏み式洗浄機に関する。
【背景技術】
【０００２】
新型コロナウイルスの感染拡大に伴って、手指を消毒する装置の普及が急務となっている。従来使用されている洗浄機は、洗浄液容器の上部を手で押して洗浄液を手の平で受けるものであるが、このタイプの洗浄機では、洗浄液容器にウイルスが付着すると、使用者の手にウイルスが付着し、ウイルス感染の原因となる。
【０００３】
このような問題を解決するために、手を用いずに、足踏み式による洗浄装置の一例が、特許文献１、特許文献２に記載されている。
【０００４】
【特許文献１】特開２００８−２２９２９６号公報
【特許文献２】実用新案登録第３２２９０５４号公報
【発明の概要】
【発明が解決しようとする課題】
【０００５】
足踏み式で洗浄液を噴出させる方式のものは、ペダルを足で踏んだ時の足の力だけで操作を行うものであるが、足で踏むことによって発生する力には個人差があり、手で操作を行う場合と比較して、洗浄機に与えられる力が均等になりにくい。そのため、洗浄機の正確な動作を確保できないばかりでなく、洗浄機の耐久性にも問題を生じる。また、洗浄液を噴出させるために洗浄液容器の頭を押すプッシャーと洗浄液容器とが位置ずれを起こすと、正確に洗浄液を噴出させることができなくなる。
【０００６】
また、洗浄機は様々な場所に設置され、使用者の状況も様々である。例えば、幼児が使用する際に、洗浄機に誤ってぶつかることも想定されるため、これに対応する安全策を採る必要がある。
【０００７】
また、洗浄液容器の大きさと形状は千差万別であり、どのような洗浄液容器についても、簡単に設置できることも求められる。さらに、身障者や老人のように、足でペダルを踏む際の動作に不安がある人が使用する場合であっても、安心して使用できるものであることが望ましい。また、設置場所は屋内の平坦な場所に限定されず、平坦ではない不整地に設置されることもあり、このような場所に設置されても、十分な機能を果たすことが求められる。
【０００８】
本発明は、このような事情を考慮してなされたもので、洗浄機の正確な動作を確保して耐久性を高め、どのような洗浄液容器を用いても簡単に設置でき、様々な使用状況に対応して、安全で不安無く使用でき、設置場所の如何を問わず設置することが可能な足踏み式洗浄機を提供することを目的とする。
【課題を解決するための手段】
【０００９】
以上の課題を解決するために、本発明の足踏み式洗浄機は、足踏みペダルと、足踏みペダルに連結されて足踏みペダルの動作に伴って上下方向に可動である牽引ロッドと、牽引ロッドを支持する支柱と、足踏みペダルが踏まれて牽引ロッドが下方に動いたときに洗浄液容器の頭部を押して洗浄液を噴射させるプッシャーと、プッシャーと牽引ロッドとを連結する可動アームと、可動アームの下方側において牽引ロッドに取り付けられた圧縮バネと、圧縮バネの下端の位置において牽引ロッドと交差するように設けられたガイドホルダーと、牽引ロッドが下降の許容限界値まで下方に動いたときにガイドホルダーに上方から接触して牽引ロッドの下方への動きを停止させるガイドピンと、洗浄液容器を搭載する搭載台とを備え、足踏みペダルが踏まれると洗浄液が噴射される足踏み式洗浄機であって、ガイドホルダーは、その外周側から中心部に向かって溝が設けられたスリットを備え、ガイドホルダーにガイドピンが接触したときに、ガイドピンの下部がスリットに挿入されて、プッシャーと洗浄液容器との位置ずれを防止する位置ずれ防止手段を備えていることを特徴とする。
【００１０】
足踏みペダルが足で踏まれると、牽引ロッドが下方に動いて、プッシャーが洗浄液容器の頭部を押して洗浄液を噴射させ、足踏みペダルから足が外れると、圧縮された圧縮バネが伸びてプッシャーは元の位置に戻るが、牽引ロッドが下降の許容限界値まで下方に動いたときに、ガイドピンがガイドホルダーに上方から接触して、牽引ロッドの下方への動きを停止させる。これにより、圧縮バネが必要以上に圧縮されて、損傷を受けることを防止でき、動作の正確性と耐久性を高めることができる。
【００１１】
また、牽引ロッドは円柱形状であるため、可動アームに回転が加わることがあり、そうすると、プッシャーと洗浄液容器との位置ずれが発生することが起こりうるが、ガイドホルダーは、その外周側から中心部に向かって設けられたスリットを備え、ガイドホルダーにガイドピンが接触したときに、ガイドピンの下部がスリットに挿入されることにより、可動アームの回転を抑制することができ、プッシャーと洗浄液容器との位置ずれを防止することができる。
【００１２】
本発明の足踏み式洗浄機においては、前記ガイドピンが取り付けられたガイドピン支持部の下端に設けられた伸びあがり防止ストッパーを備え、足踏みペダルから足が外れて牽引ロッドが上昇の許容限界値まで上昇したときに、伸びあがり防止ストッパーの上面が前記ガイドホルダーの下面に接触して、牽引ロッドの上方への動きを停止させる伸びあがり防止手段を備えている構成とすることができる。
【００１３】
足踏みペダルから不意に足が外れて、足踏みペダルにかかっていた力が一気に解除されると、可動アームが上方向に踊ることが起こりうるが、足踏みペダルから足が外れて牽引ロッドが上昇の許容限界値まで上昇したときに、伸びあがり防止ストッパーの上面が前記ガイドホルダーの下面に接触して、牽引ロッドの上方への動きを停止させることにより、伸びあがりを防止することができる。
【００１４】
本発明の足踏み式洗浄機においては、前記搭載台を前記支柱に取り付けるための第一のクランプボルトを備えるとともに、予備的な締め付けを行うための第二のクランプボルトを備え、第一のクランプボルトのネジ先端部に樹脂が取り付けられるとともに、第二のクランプボルトのネジ先端部に樹脂が取り付けられている構成とすることができる。
【００１５】
第一のクランプボルトのネジ先端部と、第二のクランプボルトのネジ先端部にはいずれも樹脂が取り付けられているため、樹脂を用いずに金属同士で接合される場合と比べて、接合部位が柔らかな状態となる。そのため、使用者が幼児などの場合に、誤って頭や顔が洗浄機にぶつかっても、その衝撃により洗浄液容器を搭載した搭載台が回転するため、頭や顔への衝撃を和らげることができ、安全性を高めることができる。
【００１６】
また、主たる締め付けボルトと予備的な締め付けボルトという、２つのクランプボルトのそれぞれに対して樹脂が取り付けられているため、一か所の樹脂に負荷が集中することを防止でき、樹脂の摩耗を抑制できるため、樹脂を用いたことによる効果を長期間持続させることができる。
【００１７】
本発明の足踏み式洗浄機においては、前記搭載台上に前記洗浄液容器を搭載する際に、前記洗浄液容器をクランプして、前記洗浄液容器を前記搭載台に固定するマグネット付きクランパーを備えている構成とすることができる。
【００１８】
マグネット付きクランパーによって、ワンタッチで洗浄液容器をクランプすることができるため、搭載台の上面を広く有効に使うことができ、様々な大きさと形状の洗浄液容器に対して、設置と取り外しを容易に行うことができる。
【００１９】
本発明の足踏み式洗浄機においては、傾斜面を有する前記足踏みペダルに近接して設けられた、水平面を有する足載せ台を備え、前記足踏みペダルの表面と前記足載せ台の表面には、滑り止め手段が設けられている構成とすることができる。
【００２０】
水平面を有する足載せ台に足のかかと部を載せ、つま先を動かして足踏みペダルを踏むようにすることにより、足踏み動作の安定性が高まり、利用しやすい。また、足の全面で足踏みペダルを踏むよりも、かかと部を足載せ台に載せた状態で、つま先を動かす動作を行うことにより、足踏みペダルにかかる力を安定させることができる。さらに、滑り止め手段を有しているため、足を滑らせることがなく、身障者や老人のように、足でペダルを踏む際の動作に不安がある人が使用する場合であっても、安心して使用することができる。
【００２１】
本発明の足踏み式洗浄機においては、前記足踏みペダルと前記支柱とを支える基台が水平に設置されるためのレベリングボルトを備えている構成とすることができる。
【００２２】
足踏み式洗浄機が設置される場所は、屋内の平坦な場所に限定されず、平坦ではない不整地に設置されることもあるが、レベリングボルトを備えていることにより、高さ調整を行って水平状態を維持することができ、設置場所の状況による影響を受けずに、十分な機能を果たすことができる。
【発明の効果】
【００２３】
本発明によると、洗浄機の正確な動作を確保して耐久性を高め、どのような洗浄液容器を用いても簡単に設置でき、様々な使用状況に対応して、安全で不安無く使用でき、設置場所の如何を問わず設置することが可能な足踏み式洗浄機を実現することができる。
【図面の簡単な説明】
【００２４】
【図１】本発明の実施形態に係る足踏み式洗浄機の全体図である。
【図２】足踏み式洗浄機の上部の構造を示す図である。
【図３】ガイドホルダーとガイドピンの詳細を示す図である。
【図４】洗浄液容器の搭載台の取り付け状態を示す図である。
【図５】クランプボルトの詳細を示す図である。
【図６】マグネット付きクランパーで、洗浄液容器をクランプした状態を示す図である。
【図７】足踏みペダルと牽引ロッドの連結の様子を示す図である。
【図８】足踏みペダルと牽引ロッドの連結の詳細を示す部分拡大図である。
【発明を実施するための形態】
【００２５】
以下に、本発明の足踏み式洗浄機を、その実施形態に基づいて説明する。
図１に、本発明の実施形態に係る足踏み式洗浄機の全体図を示す。
足踏み式洗浄機１は、足踏みペダル２と、足踏みペダル２に連結されて足踏みペダル２の動作に伴って上下方向に可動である牽引ロッド４と、牽引ロッド４を支持する支柱３とを備えている。牽引ロッド４は、その上端部に取り付けられた可動アーム５を介してプッシャー６と連結されており、プッシャー６は、足踏みペダル２が踏まれて牽引ロッド４が下方に動いたときに、洗浄液容器７の頭部を押してノズル８から洗浄液が噴射する。洗浄液容器７は、搭載台９上に搭載され、マグネット付きクランパー１０によって搭載台９上で固定される。
【００２６】
図２に、足踏み式洗浄機の上部の構造を示す。
プッシャー６と牽引ロッド４とを連結する可動アーム５の下方側において、牽引ロッド４に圧縮バネ１１が取り付けられている。圧縮バネ１１の下端の位置には、牽引ロッド４と交差するようにガイドホルダー１２が設けられて固定されている。ガイドピン１３が取り付けられたガイドピン支持部１４は、その上部で可動アーム５に連結されており、可動アーム５の上下方向の動きに伴って、上下に動くことができる。牽引ロッド４が下降の許容限界値まで下方に動いたときに、ガイドピン１３がガイドホルダー１２に上方から接触して、牽引ロッド４の下方への動きを停止させる。ガイドピン１３の可動範囲Ａの設定によって、牽引ロッド４の下降の許容限界値が定められ、この値は、状況に応じて適宜定めることができるが、一例として１５ｍｍ程度とすることができる。これにより、圧縮バネ１１が必要以上に圧縮されて、損傷を受けることを防止でき、動作の正確性と耐久性を高めることができる。
【００２７】
ガイドピン１３が取り付けられたガイドピン支持部１４の下端には、伸びあがり防止ストッパー１５が設けられている。足踏みペダル２から足が外れて、牽引ロッド４が上昇の許容限界値まで上昇したときに、伸びあがり防止ストッパー１５の上面が、ガイドホルダー１２の下面に接触して、牽引ロッド４の上方への動きを停止させる。ガイドホルダー１２が牽引ロッド４と接触する部位には、無給油ブッシュ１６が取り付けられており、これにより、スライド部の摩耗を抑制できる。
【００２８】
プッシャー６の可動アーム５との結合部は、ねじによるスライド式となっており、調整しろＢが設けられている。スライド式とすることにより、洗浄液の噴出し量を調整することができ、洗浄液の効果的な利用と節約が可能となる。
【００２９】
図３に、ガイドホルダーとガイドピンの詳細を示す。
図３は、ガイドホルダー１２にガイドピン１３が接触した状況を上から見た図であり、ガイドホルダー１２は、その外周側から中心部に向かって溝が設けられたスリット１７を備えており、ガイドホルダー１２にガイドピン１３が接触したときに、ガイドピン１３の下部がスリット１７に挿入される。これにより、可動アーム５の回転を抑制して、プッシャー６と洗浄液容器７との位置ずれを防止することができる。スリット１７のスリット幅Ｃは、状況に応じて適宜選択できる。
【００３０】
図４に、洗浄液容器の搭載台の取り付け状態を示す。
支柱１への搭載台９の取り付けは、第一のクランプボルト１８を締め付けるとともに、予備的に、第二のクランプボルト１９を締め付けることによってなされる。第一のクランプボルト１８の頭部には、大径のパッド付きツマミノブが取り付けられ、第二のクランプボルト１９の頭部には、これよりも小径のパッド付きツマミノブが取り付けられている。支柱１と搭載台９との結合部位には、ガイドリング２０が取り付けられている。
【００３１】
第一のクランプボルト１８と第二のクランプボルト１９のいずれも、図５に示すように、ネジ先端部に樹脂２１が取り付けられている。樹脂２１の一例として、ポリアセタールを用いることができる。ネジ先端部は、締め付け時に支柱１に接触する接合部位であり、接合部位に樹脂２１が取り付けられているため、樹脂２１を用いずに金属同士で接合される場合と比べて、接合部位が柔らかな状態となる。そのため、使用者が幼児などの場合に、頭や顔が洗浄機にぶつかっても、その衝撃で洗浄液容器７を搭載した搭載台９が回転するため、頭や顔への衝撃を和らげることができ、安全性を高めることができる。
【００３２】
図６に、マグネット付きクランパーで、洗浄液容器をクランプした状態を示す。
搭載台９に洗浄液容器７を載せた状態で、洗浄液容器７の外周側をマグネット付きクランパー１０によってクランプして、洗浄液容器７を搭載台９に固定する。マグネット付きクランパー１０は、磁石２２が取り付けられたクランパーであり、ＳＵＳ４３０のように磁性の強いステンレス合金鋼で形成された搭載台９を用いると、ワンタッチで洗浄液容器７をクランプすることができる。そのため、搭載台９の上面を広く有効に使うことができ、様々な大きさと形状の洗浄液容器７に対して、設置と取り外しを容易に行うことができる。マグネット付きクランパー１０の形状は、図６に示す、くの字型のものに限定されず、洗浄液容器７をクランプできるものであれば、他の形状のものであってもよい。
【００３３】
図７に、足踏みペダルと牽引ロッドの連結の様子を示し、図８に、その連結部分の詳細を示す。
牽引ロッド４には、シャフトガイド２３が取り付けられており、足踏みペダル２とシャフトガイド２３は、連結ピン２４によって連結されている。この連結により、足踏みペダル２が足で踏まれると、足踏みペダル２の回転運動が牽引ロッド４の直進運動に変換され、牽引ロッド４はシャフトガイド２３にガイドされて下降する。また、足踏みペダル２から足が離れると、牽引ロッド４はシャフトガイド２３にガイドされて上昇する。この動作により、足踏みペダル２の作動範囲Ｄで、牽引ロッド４は足踏みペダル２の動作に伴って上下する。
【００３４】
連結ピン２４は、ＨＲＣ５８度に焼き入れ、焼き戻しを行い、円筒研削後にハードクロムメッキされたものを用いることにより、硬くて耐摩耗性の高いものとすることができる。支柱１に対して、補強部材２５、補強部材２６を取り付けることにより、パイプの垂直度ブレ止めと強度補強を実現することができる。連結ピン２４は、図８(ａ)に示すように、シャフトガイド２３に挿入され、固定ネジ２７によってねじ止めされている。
【００３５】
傾斜面を有する足踏みペダル２に近接して設けられた、水平面を有する足載せ台２８を備えており、足踏みペダル２の表面と足載せ台２８の表面には、滑り止め手段２９が設けられている。滑り止め手段２９は、表面に凹凸を有して摩擦係数を大きくしたものを用いることができ、その一例としてシマ鋼板を用いることができる。
【００３６】
水平面を有する足載せ台２８に足のかかと部を載せ、つま先を動かして足踏みペダル２を踏むようにすることにより、足踏み動作の安定性が高まるため、利用しやすい。また、足の全面で足踏みペダル２を踏むよりも、かかと部を足載せ台２８に載せた状態で、つま先を動かす動作を行うことにより、足踏みペダル２にかかる力を安定させることができる。さらに、滑り止め手段２９を有しているため、足を滑らせることがなく、身障者や老人のように、足でペダルを踏む際の動作に不安がある人が使用する場合であっても、安心して使用することができる。
【００３７】
足踏みペダル２と支柱１とを支える基台３０の底部には、レベリングボルト３１が設けられている。レベリングボルト３１は、高さ調整を行ってレベル出しを行うことができるものであり、レベリングボルト３１による高さ調整により、基台３０が水平となるように設置することができる。
【００３８】
足踏み式洗浄機１が設置される場所は、屋内の平坦な場所に限定されず、平坦ではない不整地に設置されることもあるが、レベリングボルト３１を備えていることにより、高さ調整を行って水平状態を維持することができ、設置場所の状況による影響を受けずに、十分な機能を果たすことができる。
【産業上の利用可能性】
【００３９】
本発明は、洗浄機の正確な動作を確保して耐久性を高め、どのような洗浄液容器を用いても簡単に設置でき、様々な使用状況に対応して、安全で不安無く使用でき、設置場所の如何を問わず設置することが可能な足踏み式洗浄機であるため、適用範囲の広い洗浄機として広く利用でき、公衆衛生の確保に寄与することができる。
【符号の説明】
【００４０】
１  足踏み式洗浄機
２  足踏みペダル
３  支柱
４  牽引ロッド
５  可動アーム
６  プッシャー
７  洗浄液容器
８  ノズル
９  搭載台
１０  マグネット付きクランパー
１１  圧縮バネ
１２  ガイドホルダー
１３  ガイドピン
１４  ガイドピン支持部
１５  伸びあがり防止ストッパー
１６  無給油ブッシュ
１７  スリット
１８  第一のクランプボルト
１９  第二のクランプボルト
２０  ガイドリング
２１  樹脂
２２  磁石
２３  シャフトガイド
２４  連結ピン
２５  補強部材
２６  補強部材
２７  固定ネジ
２８  足載せ台
２９  滑り止め手段
３０  基台
３１  レベリングボルト
【要約】
【課題】洗浄機の正確な動作を確保して耐久性を高め、どのような洗浄液容器を用いても簡単に設置でき、様々な使用状況に対応して、安全で不安無く使用でき、設置場所の如何を問わず設置することが可能な足踏み式洗浄機を提供する。
【解決手段】足踏み式洗浄機１は、足踏みペダル２と、足踏みペダル２に連結されて足踏みペダル２の動作に伴って上下方向に可動である牽引ロッド４と、牽引ロッド４を支持する支柱３とを備えている。牽引ロッド４は、可動アーム５を介してプッシャー６と連結されており、プッシャー６は、足踏みペダル２が踏まれて牽引ロッド４が下方に動いたときに、洗浄液容器７の頭部を押してノズル８から洗浄液が噴射する。洗浄液容器７は、搭載台９上に搭載され、マグネット付きクランパー１０によって搭載台９上で固定される。
【選択図】図１【図１】
0006870884.tif 000002
【図２】
0006870884.tif 000003
【図３】
0006870884.tif 000004
【図４】
0006870884.tif 000005
【図５】
0006870884.tif 000006
【図６】
0006870884.tif 000007
【図７】
0006870884.tif 000008
【図８】
0006870884.tif 000009